(57)【要約】【課題】  希望信号レベル対不要信号レベルの比を確保しつつ、装置コストと受信機における重み係数の計算量を抑えることができる空間分割多元接続装置を提供する。【解決手段】  ２系統以上の異なる信号を同一空間において同一時間に同一周波数で出力する送信機と、送信機の各系統の信号を送信する送信アンテナと、送信機の系統数以上の入力系統を有し、入力系統ごとに受信した信号をそれぞれベースバンド信号に変換する信号変換部と、各ベースバンド信号にそれぞれ重み付けを行って加算し、送信機から送信された各系統の信号を復元して出力する信号処理部とを含む受信機と、受信機の入力系統数よりも多くのアンテナ素子をもつ受信アンテナと、受信アンテナに受信した信号から受信機の入力系統数と同数の信号を選択して受信機に入力するスイッチと、スイッチを制御し受信機の各系統の信号品質が高くなるアンテナ素子の信号を選択する制御部とを備える。【選択図】        図１
2006109034.tif 000002
【特許請求の範囲】
【請求項１】
２系統以上の異なる信号を同一空間において同一時間に同一周波数で出力する送信機と、
前記送信機の各系統にそれぞれ独立に接続されたアンテナ素子から前記送信機の各系統の信号を送信する送信アンテナと、
前記送信機の系統数以上の入力系統を有し、入力系統ごとに受信した信号をそれぞれベースバンド信号に変換する信号変換部と、各ベースバンド信号にそれぞれ重み付けを行って加算し、前記送信機から送信された各系統の信号を復元して出力する前記送信系統数と同数の信号処理部とを含む受信機と、
前記受信機の入力系統数よりも多くのアンテナ素子をもつ受信アンテナと、
前記受信アンテナの各アンテナ素子に受信した信号から前記受信機の入力系統数と同数の信号を選択して前記受信機に入力するスイッチと、
前記スイッチを制御し、前記受信機の各系統の信号品質が高くなるアンテナ素子の信号を選択する制御部と
を備えたことを特徴とする空間分割多元接続装置。
【請求項２】
請求項１に記載の空間分割多元接続装置において、
前記制御部は、前記スイッチを制御し、前記受信アンテナにおける前記受信機の入力系統数の全ての組み合わせに対して、前記受信機の出力における希望信号レベル対不要信号レベルの比を記憶し、希望信号レベル対不要信号レベルの比が最大となる受信アンテナの組み合わせを選択する構成である
ことを特徴とする空間分割多元接続装置。
【請求項３】
請求項１に記載の空間分割多元接続装置において、
前記制御部は、前記スイッチを制御し、前記受信アンテナにおける前記受信機の入力系統数の全ての組み合わせに対して、前記受信機の出力における信号誤り率を記憶し、信号誤り率が最小となる受信アンテナの組み合わせを選択する構成である
ことを特徴とする空間分割多元接続装置。
【請求項４】
請求項１に記載の空間分割多元接続装置において、
前記制御部は、前記スイッチを制御し、前記送信アンテナと前記受信アンテナ間の全ての組み合わせにおける伝搬パラメータを算出し、送信アンテナ数×受信アンテナ数の要素をもつ伝搬パラメータ行列Ａを作成して記憶し、
前記受信アンテナにおける前記受信機の入力系統数の全ての組み合わせに対して、前記伝搬パラメータ行列Ａから送信アンテナ数×受信機の入力系統数の要素をもつ伝搬パラメータ行列Ｂを抽出し、前記各伝搬パラメータ行列Ｂの固有値を比較し、最小固有値が最も大きくなる受信アンテナの組み合わせを選択する構成である
ことを特徴とする空間分割多元接続装置。
【請求項５】
請求項１〜請求項４のいずれかに記載の空間分割多元接続装置において、
前記受信アンテナと前記スイッチの間に、無線周波数から中間周波数に変換する周波数変換器を備え、
前記スイッチは、信号の選択を中間周波数で行う構成である
ことを特徴とする空間分割多元接続装置。
【発明の詳細な説明】
【技術分野】
【０００１】
本発明は、同一周波数、同一時刻で複数の送信アンテナから複数の異なる信号を送信し、複数のアンテナで受信し、各受信信号から伝搬路の空間的な相違を利用して複数の異なる送信信号を分離する空間分割多元接続装置に関する。
【背景技術】
【０００２】
近年の光アクセス等の普及に伴った様々な大容量サービスに対応するため、無線通信の伝送速度の向上が要求されている。無線通信の伝送速度は、シンボルレートや変調方式等によって決定される。例えば、シンボルレートが40 [Ｍbaud] 、変調方式が１シンボル当たり６[bit] の伝送が可能な64ＱＡＭであれば、
40 [Ｍbaud] ×６[bit] ＝ 240［Ｍbit/sec]
の伝送速度となる。このような無線通信の伝送速度の向上には、シンボルレートを上げる方法と、変調多値数の大きい変調方式を用いる方法等が考えられている。
【０００３】
シンボルレートを上げる方法は、例えば40 [Ｍbaud] から80 [Ｍbaud] に変更することで、１秒間当たりに送信されるシンボル数を増やすことにより実現される。また、変調多値数の大きい変調方式を用いる方法は、例えば64ＱＡＭから 256ＱＡＭに変更することで、１シンボル当たりに伝送可能なビット数を６[bit] から８[bit] に増やすことにより実現される。
【０００４】
しかし、信号の伝送に必要となる周波数帯域はシンボルレートに比例して増加するため、占有帯域の制限上、無線通信でシンボルレートを上げる方法は難しい。一方、変調多値数の大きい変調方式を用いる方法は周波数帯域に増加は生じないが、信号点間距離が減少することでノイズによる誤りやハードウェアの特性による誤りが発生しやすい。そのため、良好な通信を実現するには高い信号対雑音比を必要とし、実環境を考慮すると変調多値数の大きい変調方式を用いる方法も容易ではない。
【０００５】
そこで、これらの方法を用いずに周波数の利用効率を上げて伝送速度を向上する空間分割多元接続が提案されている。空間分割多元接続は、図７に示すように、複数のアンテナをもつ送信機と、複数のアンテナをもつ受信機で構成される。図７は、送信アンテナ数が２、受信アンテナ数が２の例を示している。送信機は、同一周波数、同一時刻に複数の送信アンテナから複数の異なる信号を送信する。受信機は、送信機の系統１のアンテナから送信される信号を希望信号、系統２のアンテナから送信される信号を不要信号とした場合、２つの受信アンテナの信号から不要信号を除去し、希望信号のみを受信する処理を行うものである。図７は、このときの受信アンテナの指向性の例を示している。送信機の系統２のアンテナから送信される信号を希望信号、系統１のアンテナから送信される信号を不要信号とした場合も同様である。これらの動作により、空間を分割して伝送速度を向上させることができる。なお、希望信号の受信と不要信号の除去は、受信機において各アンテナの受信信号に位相・振幅の重み付けをすることにより実現される。
【０００６】
図８は、従来の空間分割多元接続装置の構成例を示す。ここでは送信アンテナ数が２、受信アンテナ数が２の場合を示す。図９は、図８の構成例の各部 (a)〜(l) における理想的な信号の例を複素数平面上の信号ベクトルとして示す。図９におけるベクトルＡは送信機１１の系統１から送信された信号(a) 、ベクトルＢは送信機１１の系統２から送信された信号(b) を表す。
【０００７】
送信機１１の各系統に接続された送信アンテナ２１は、それぞれ系統１の信号(a) および系統２の信号(b) を送信する。ここで、送信アンテナ２１における信号を行列で
ｘ＝ [ＡＢ] T 
と定義する。Ｔは行列の転置を表す。ｘの要素がそれぞれ信号(a) と信号(b) である。
【０００８】
信号(a) と信号(b) は、異なる空間を通過して受信機３１の受信アンテナ４１に受信される。ここで、送信アンテナから受信アンテナまでの伝搬パラメータ行列をＨと定義する。Ｈは受信アンテナ数の行数と送信アンテナ数の列数をもち、図８の構成例の場合には２行２列となる。ｘとＨから受信アンテナ４１における信号ｙは、
ｙ＝Ｈｘ
と表され、ｙの要素がそれぞれ信号(c) と信号(d) である。このように、送信された信号は、空間により変動を受け、さらに２本の送信アンテナ２１からの信号であるベクトルＡとベクトルＢが重畳されて受信される。
【０００９】
信号(c),(d) は、受信機３１内の信号変換部３２−１，３２−２でベースバンド信号に変換され、系統１の信号処理部３３−１および系統２の信号処理部３３−２に入力される。なお、信号処理部内で複数の異なる送信信号を分離する代表的な計算方法には、非特許文献１のZero-Forcingによる方法、非特許文献２のMaximum Likelihood Detectionによる方法、非特許文献３のMaximum Mean Square Error による方法等が挙げられる。ここでは、Zero-Forcingに基づいて信号処理部３３−１，３３−２の動作について説明する。
【００１０】
系統１の信号処理部３３−１では、ベクトルＡを希望信号として受信し、ベクトルＢを不要信号として除去するような重み係数を重み係数算出部３４で求め、この重み係数が乗算器３５−１，３５−２に入力され、信号変換部３２−１，３２−２から出力されたベースバンド信号とそれぞれ乗算され、信号(g),(h) が生成される。加算器３６は、この信号(g),(h) を加算して信号(k) を出力する。この信号(k) は、不要信号が抑圧されて希望信号のみが残り、希望信号レベル対不要信号レベルの比が高い信号となる。
【００１１】
同様に、系統２の受信信号処理部３３−２では、ベクトルＢを希望信号として受信し、ベクトルＡを不要信号として除去するような重み係数を重み係数算出部３４で求め、この重み係数が乗算器３５−１，３５−２に入力され、信号変換部３２−１，３２−２から出力されたベースバンド信号とそれぞれ乗算され、信号(i),(j) が生成される。加算器３６は、この信号(i),(j) を加算して信号(l) を出力する。この信号(l) は、不要信号が抑圧されて希望信号のみが残り、希望信号レベル対不要信号レベルの比が高い信号となる。
【００１２】
なお、上記の重み係数は、トレーニング信号等により伝搬パラメータ行列Ｈが既知であるものとして、重み係数算出部３４が伝搬パラメータ行列Ｈの逆行列Ｈ-1を算出することにより得られる。Ｈ-1をｙに乗算することにより、受信機３１の出力ｘは、
ｘ＝Ｈ-1ｙ＝Ｈ-1Ｈｘ＝ｘ
となり、送信信号が復元される。ｘの要素がそれぞれ信号(k),(l) である。
【非特許文献１】黒崎  他、”ＭＩＭＯチャネルにより100Mbit/s を実現する広帯域移動通信用ＳＤＭ−ＣＯＦＤＭ方式の提案”、電子情報通信学会技術研究報告、RCS2001-135,Oct 2001
【非特許文献２】R.van Nee, et al, "Maximum likelihood detection in a space division multiplexing system", Proc.IEEE VTC2000,pp.6-10,May 2000
【非特許文献３】A.Benjebbour, et al,"A Semi-Adaptibe MMSE Weights Generation Approach for Ordered Successive Detection in MIMO Systems", IEICE Trans.Commun,Vol.E87-B,No.2,Feb 2004
【非特許文献４】唐沢，”ＭＩＭＯ情報伝送の基礎”，電子情報通信学会通信ソサイエティ大会，TB-2-1，2003
【発明の開示】
【発明が解決しようとする課題】
【００１３】
ところで、上記の動作例は、雑音がなく伝搬路と各部における動作が理想的なものとして示した。しかし、実際の装置では、雑音や伝搬路による影響に起因した問題から十分な希望信号と不要信号の分離が行われず、希望信号レベル対不要信号レベルの比が悪化し、場合によっては信号が復元できなくなる問題がある。この場合の一例として、伝搬路の条件が悪化した場合の各部における信号の例を図１０に示す。図１０の信号は、図８の各部に対応し、それぞれ複素平面上の信号ベクトルを表している。図１０におけるベクトルＡは送信機１１の系統１から送信された信号(a) 、ベクトルＢは送信機１１の系統２から送信された信号(b) を表す。
【００１４】
受信機３１の系統１の信号処理部３３−１では、上記と同様に受信アンテナ４１における信号(c),(d) のベースバンド信号に、乗算器３５で重み係数が乗算されて信号(g),(h) となる。加算器３６で信号(g),(h) を加算した信号(k) は、不要信号の抑圧と同時に希望信号が減少し、結果として十分な希望信号レベル対不要信号レベルの比が得られない。これは、系統２の信号処理部３３−２でも同様であり、信号(i),(j) を加算した信号(l) は、不要信号の抑圧と同時に希望信号が減少し、結果として十分な希望信号レベル対不要信号レベルの比が得られない。
【００１５】
非特許文献４によれば、伝搬パラメータ行列Ｈのそれぞれの固有値の大きさが独立な信号を送る能力を表す。上記の例では、伝搬パラメータ行列Ｈの最小固有値である第２固有値が小さいために２つの信号を同時に伝送することが難しく、送信機１１から２つの異なる信号を同時に送信しても受信機３１で信号を復元することが困難になる。特に、送信機１１からのそれぞれの系統の信号が独立かつ同一の伝送速度であれば、最小固有値の大きさで空間分割多元接続の可否が決定される。
【００１６】
図１１は、従来の問題への対策のために提案されている空間分割多元接続装置の構成例を示す。ここでは、受信アンテナ４１の数と受信機３１の入力系統数を増やし、信号処理部３３−１，３３−２で各入力系統の信号に対する処理を行う構成である。これにより、入力信号が異なった条件をとる確率を増やすことで、伝搬パラメータ行列Ｈの最小固有値を大きくすることができる。
【００１７】
しかし、図１１の構成では送信アンテナ数が２、受信アンテナ数が４であることから、Zero-Forcingを用いた場合の重み係数算出部３４は、４行２列の伝搬パラメータ行列Ｈから２行４列の疑似逆行列を求める等の演算が必要になり、図８の構成の２行２列から逆行列を求める演算よりも計算量が増加する問題が発生する。また、受信アンテナ４１から信号変換部３２−１〜３２−４までの構成要素と、各系統の信号処理部３３−１，３３−２内の乗算器３５の数が増加することから、装置コストが上昇する問題が発生する。
【００１８】
すなわち、図１１の空間分割多元接続装置は、不要信号の除去が効果的に行われる一方で、受信機の入力系統数の増加に伴う装置コスト上昇および重み係数の計算量の増加が避けられなかった。
【００１９】
本発明は、希望信号レベル対不要信号レベルの比を確保しつつ、装置コストと受信機における重み係数の計算量を抑えることができる空間分割多元接続装置を提供することを目的とする。
【課題を解決するための手段】
【００２０】
本発明の空間分割多元接続装置は、２系統以上の異なる信号を同一空間において同一時間に同一周波数で出力する送信機と、送信機の各系統にそれぞれ独立に接続されたアンテナ素子から送信機の各系統の信号を送信する送信アンテナと、送信機の系統数以上の入力系統を有し、入力系統ごとに受信した信号をそれぞれベースバンド信号に変換する信号変換部と、各ベースバンド信号にそれぞれ重み付けを行って加算し、送信機から送信された各系統の信号を復元して出力する送信系統数と同数の信号処理部とを含む受信機と、受信機の入力系統数よりも多くのアンテナ素子をもつ受信アンテナと、受信アンテナの各アンテナ素子に受信した信号から受信機の入力系統数と同数の信号を選択して受信機に入力するスイッチと、スイッチを制御し、受信機の各系統の信号品質が高くなるアンテナ素子の信号を選択する制御部とを備える。
【００２１】
このように、受信機の入力系統数よりも多くのアンテナ素子をもつ受信アンテナを備え、スイッチで受信アンテナに受信した信号から受信機の入力系統数と同数の信号を選択して受信機に入力する構成をとり、受信機の信号処理部で入力系統数に応じた重み付け加算処理を行う構成である。
【発明の効果】
【００２２】
本発明の空間分割多元接続装置では、スイッチで空間分割多元接続に適した受信アンテナを選択した後に受信機で処理する構成をとることにより、受信アンテナのアンテナ素子数に比べて受信機の入力系統数を削減することができ、希望信号レベル対不要信号レベルの比を確保しながら、装置コストと受信機における重み係数の計算量を抑えることができる。
【発明を実施するための最良の形態】
【００２３】
（第１の実施形態）
図１は、本発明の空間分割多元接続装置の第１の実施形態の構成例を示す。
本発明では、受信機の入力系統数は、送信アンテナ数（送信機の系統数）以上であり、受信アンテナ数は受信機の入力系統数より大きい。すなわち、
受信アンテナ数＞受信機の入力系統数≧送信アンテナ数（送信機の系統数）
であるが、本実施形態では、送信アンテナ数が２、受信アンテナ数が４、受信機の入力系統数が２となる構成例を示す。図において、送信機１１および送信アンテナ２１は従来構成と同様の構成である。
【００２４】
本実施形態の特徴は、受信アンテナ４１の４系統の信号から２系統を選択して受信機３１に入力するスイッチ５１と、それを制御する制御部５２を備え、受信アンテナ４１の素子数よりも少ない入力系統数をもつ受信機３１を備えるところにある。制御部５２は、受信機３１の出力における希望信号レベル対不要信号レベルの比を参照し、この比が最大になるように受信アンテナ４１の組み合わせを算出するものとする。
【００２５】
以下、図２に示す各部における信号の例を参照して本実施形態の動作について説明する。図２は、図１の構成例の各部 (a)〜(l) における信号の例を複素数平面上の信号ベクトルとして示す。図２におけるベクトルＡは送信機１１の系統１から送信された信号(a) 、ベクトルＢは送信機１１の系統２から送信された信号(b) を表す。
【００２６】
送信機１１の系統１の信号(a) と系統２の信号(b) は、各系統に接続された送信アンテナ２１からそれぞれ送信され、異なる空間を通過して受信アンテナ４１に受信され、各素子における信号はそれぞれ信号(c),(d),(e),(f) となる。図２に示すように信号(c),(d),(e),(f) は空間により変動を受け、２本の送信アンテナ２１からの信号であるベクトルＡとベクトルＢが重畳された信号として受信される。
【００２７】
制御部５２はスイッチ５１を制御し、４本の受信アンテナ４１から受信機３１へ入力する２系統を選択する動作を全ての組み合わせに対して行う。そして、それぞれの組み合わせに対して、受信機３１の出力における希望信号レベル対不要信号レベルの比を参照し、この比が最大になるように受信アンテナ４１の２系統の組を算出する。この比は、送信機１１が時分割で１系統のみから信号を送信し、受信機３１がこの信号を希望信号とみなして動作した際の出力レベルと、不要信号である他の系統の信号を送信機１１が送信した際の受信機３１の出力レベルの比から求められ、この動作を全てのアンテナの組み合わせに対して行うことにより、この比が最大となる受信アンテナ４１の組み合わせが算出される。このとき測定される比は、制御部５２が保有するものとする。なお、このスイッチ５１および制御部５２の動作は、定期的または伝搬環境の変化に応じて適宜実行される。
【００２８】
スイッチ５１は、制御部５２が算出した結果により制御される。図１のスイッチ５１は、受信機３１の入力系統１として信号(c) を選択し、入力系統２として信号(e) を選択している。このように、受信機３１の入力において、空間分割多元接続に適した信号を選択することにより、例えば図１１に示す従来の空間分割多元接続装置より受信機３１の入力系統数を削減しても、受信機３１の出力における希望信号レベル対不要信号レベルの比を確保することが可能になる。
【００２９】
以下の動作は、送信アンテナ数が２、受信アンテナ数が２の従来の空間分割多元接続装置と同様であり、簡単に説明する。
【００３０】
信号(c),(e) は、受信機３１内で信号変換部３２−１，３２−２によりベースバンド信号に変換され、系統１の信号処理部３３−１および系統２の信号処理部３３−２に入力される。系統１の信号処理部３３−１では、ベクトルＡを希望信号として受信し、ベクトルＢを不要信号として除去するような重み係数を重み係数算出部３４で求め、この重み係数が乗算器３５−１，３５−２に入力され、信号変換部３２−１，３２−２から出力されたベースバンド信号とそれぞれ乗算され、信号(g),(h) が生成される。加算器３６は、この信号(g),(h) を加算して信号(k) を出力する。この信号(k) は、不要信号が抑圧されて希望信号のみが残り、希望信号レベル対不要信号レベルの比が高い信号となる。
【００３１】
同様に、系統２の受信信号処理部３３−２では、ベクトルＢを希望信号として受信し、ベクトルＡを不要信号として除去するような重み係数を重み係数算出部３４で求め、この重み係数が乗算器３５−１，３５−２に入力され、信号変換部３２−１，３２−２から出力されたベースバンド信号とそれぞれ乗算され、信号(i),(j) が生成される。加算器３６は、この信号(i),(j) を加算して信号(l) を出力する。この信号(l) は、不要信号が抑圧されて希望信号のみが残り、希望信号レベル対不要信号レベルの比が高い信号となる。
【００３２】
以上により、高い希望信号レベル対不要信号レベルの比を確保しつつ、受信アンテナ数に比べて受信機３１の入力系統数の削減を可能とし、送信コストと受信機における重み係数の計算量を抑えた空間分割多元接続装置を実現することができる。
【００３３】
なお、制御部５２は、受信機３１の出力における希望信号レベル対不要信号レベルの比の代わりに、送信機１１が既知の信号を送信し、受信機３１の出力と比較することで誤り率を求め、誤り率が最小となる受信アンテナ４１の組み合わせを算出し、スイッチ５１を制御するようにしてもよい。
【００３４】
（第２の実施形態）
図３は、本発明の空間分割多元接続装置の第２の実施形態の構成例を示す。ここでは、送信アンテナ数が２、受信アンテナ数が４、受信機の入力系統数が２となる構成例を示す。図において、送信機１１および送信アンテナ２１は従来構成と同様の構成である。
【００３５】
本実施形態の特徴として、受信アンテナ４１の４系統の信号から２系統を選択して受信機３１に入力するスイッチ５１を備え、受信アンテナ４１の素子数よりも少ない入力系統数をもつ受信機３１を備えるところは第１の実施形態と同様である。本実施形態の制御部５３は、信号処理部３３に入力する２系統の信号をモニタしてスイッチ５１を制御する構成が第１の実施形態と異なる。
【００３６】
以下、制御部５３の動作について図４のフローチャートを参照して説明する。制御部５３は、スイッチ５１を制御して送信アンテナ２１と受信アンテナ４１間の全ての組み合わせの伝搬パラメータを算出し、送信アンテナ数×受信アンテナ数の要素をもつ伝搬パラメータ行列Ａを作成して記憶する（図４、Ｓ１）。これは、送信機１１が時分割で１系統ずつ信号を送信し、スイッチ５１が１本のアンテナを選択して受信機３１に出力し、受信機３１がベクトルを算出する動作を全てのアンテナの組に対して行うことにより実現される。伝搬パラメータ行列Ａの例を図５(A) に示す。なお、伝搬パラメータ行列Ａ内のｈabは、ｂ番目の送信アンテナからａ番目の受信アンテナまでの伝搬パラメータを示す。
【００３７】
次に、制御部５３は、受信アンテナ４１から受信機３１の入力系統数と同数のアンテナを選択する全ての組み合わせにおいて、伝搬パラメータ行列Ａから送信アンテナ数×受信機の入力系統数の要素をもつ伝搬パラメータ行列Ｂを抽出する（図４、Ｓ２）。受信アンテナ数が４、受信機３１の入力系統数が２の場合は 4Ｃ2 ＝６通りとなり、全ての伝搬パラメータ行列Ｂを図５(B) に示す。そして、制御部５３はそれぞれの伝搬パラメータ行列Ｂの固有値を算出し（図４、Ｓ３）、それぞれの伝搬パラメータ行列Ｂの最小固有値を評価し（図４、Ｓ４）、最小固有値が最も大きくなる受信アンテナの組み合わせを選択するようにスイッチ５１を制御する（図４、Ｓ５）。
【００３８】
ここで、伝搬パラメータ行列Ｂのそれぞれの固有値が独立な信号を送る能力を表すため、送信機１１からのそれぞれの系統の信号が独立かつ同一の伝送速度であれば、最小固有値が最も大きくなる受信アンテナを選択するのが有効となる。なお、このスイッチ５１および制御部５３の動作は、定期的または伝搬環境の変化に応じて適宜実行される。以下の動作は、第１の実施形態と同様であり、説明を省略する。
【００３９】
以上により、高い希望信号レベル対不要信号レベルの比を確保しつつ、受信アンテナ数に比べて受信機３１の入力系統数の削減を可能とし、送信コストと受信機における重み係数の計算量を抑えた空間分割多元接続装置を実現することができる。
【００４０】
（第３の実施形態）
図６は、本発明の空間分割多元接続装置の第３の実施形態の構成例を示す。本実施形態の特徴は、第１の実施形態の構成において、受信アンテナ４１の信号を中間周波数に変換する周波数変換器５４を備え、中間周波数の受信信号をスイッチ５１を介して受信機３１に入力するところにある。送受信される信号が準ミリ波やミリ波といった高い無線周波数では、スイッチ５１を挿入することによる損失が大きくなるので、本実施形態のように受信信号を中間周波数に変換してスイッチ５１で選択する構成は有効である。本実施形態の構成は、同様に第２の実施形態にも適用することができる。
【図面の簡単な説明】
【００４１】
【図１】第１の実施形態の構成例を示す図。
【図２】第１の実施形態の各部の信号例を示す図。
【図３】第２の実施形態の構成例を示す図。
【図４】第２の実施形態の制御部５３の処理手順を示すフローチャート。
【図５】伝搬パラメータ行列Ａ、伝搬パラメータ行列Ｂの例を示す図。
【図６】第３の実施形態の構成例を示す図。
【図７】空間分割多元接続の動作原理を説明する図。
【図８】従来の空間分割多元接続装置の構成例を示す図。
【図９】従来構成の各部の理想的な信号例を示す図。
【図１０】従来構成の各部の実際の信号例を示す図。
【図１１】従来の空間分割多元接続装置の他の構成例を示す図。
【符号の説明】
【００４２】
１１  送信機
２１  送信アンテナ
３１  受信機
３２  信号変換部
３３  信号処理部
３４  重み係数算出部
３５  乗算器
３６  加算器
４１  受信アンテナ
５１  スイッチ
５２，５３  制御部
５４  周波数変換器
【図１】
2006109034.tif 000003
【図２】
2006109034.tif 000004
【図３】
2006109034.tif 000005
【図４】
2006109034.tif 000006
【図５】
2006109034.tif 000007
【図６】
2006109034.tif 000008
【図７】
2006109034.tif 000009
【図８】
2006109034.tif 000010
【図９】
2006109034.tif 000011
【図１０】
2006109034.tif 000012
【図１１】
2006109034.tif 000013